(57)【要約】 【課題】  非矩形表示エリアの表示パネルにおいて、表示のがたつきが少なく、また、小型の表示パネルを提供する。【解決手段】  表示範囲が定められた表示エリアが非矩形であり、前記表示エリア内に配設される画素を３つのサブ画素で構成するとともに３つのサブ画素の形状が正六角形であり、１画素を構成する３つのサブ画素の中心が正三角形となるように配置され、前記表示エリアは前記密封エリア内に形成され、前記表示エリアに一部が掛かるサブ画素を無着色駆動表示にし、前記密封エリアは前記無着色駆動表示のサブ画素を含むように設けられる。【選択図】      図６
2009092981.tif 000002
【特許請求の範囲】
【請求項１】
表示範囲が定められた表示エリアが非矩形であり、前記表示エリア内に配設される画素
を構成する単位となるサブ画素の形状が正六角形であることを特徴とする表示パネル。
【請求項２】
前記正六角形のサブ画素が相互に辺で接し、１画素を３つのサブ画素で構成するととも
に３つのサブ画素の中心が正三角形となるように配置することを特徴とする請求項１に記
載の表示パネル。
【請求項３】
対向して配置される一対の基板とシール材によって形成された密封エリアを有し、前記
表示エリアは前記密封エリア内に形成され、前記表示エリアの輪郭に一部が掛かる画素を
無着色駆動表示とすることを特徴とする請求項１または請求項２に記載の表示パネル。
【請求項４】
対向して配置される一対の基板とシール材によって形成された密封エリアを有し、前記
表示エリアは前記密封エリア内に形成され、前記表示エリアの輪郭に一部が掛かるサブ画
素を無着色駆動表示とすることを特徴とする請求項１または請求項２に記載の表示パネル
。
【請求項５】
表示範囲が定められた表示エリアが非矩形であり、前記表示エリア内に配設される画素
の形状が正六角形であることを特徴とする表示パネル。
【請求項６】
画素の形状が正六角形であり、前記画素を３つのサブ画素で構成するとともに３つのサ
ブ画素の形状が正六角形を３等分する菱形であることを特徴とする請求項５に記載の表示
パネル。
【請求項７】
対向して配置される一対の基板とシール材によって形成された密封エリアを有し、前記
表示エリアは前記密封エリア内に形成され、前記表示エリアの輪郭に一部が掛かる画素を
無着色駆動表示とすることを特徴とする請求項５または請求項６に記載の表示パネル。
【発明の詳細な説明】
【技術分野】
【０００１】
本発明は、非矩形の表示パネルに関する。
【背景技術】
【０００２】
液晶表示パネルや有機ＥＬディスプレイは軽量、薄型、低消費電力という特徴があり、
多くの電子機器に使用されている。一つの画素は長方形のＲＧＢ３つの画素で構成し、画
素の形状は略正方形になっている。このために、通常、表示エリアは矩形になっている。
【０００３】
ところが、車載計器、時計、アクセサリーのデザイン上の多様化傾向に伴って、表示エ
リアが矩形のコーナーをカットした形状（特許文献１参照）になったり、円形や楕円形（
特許文献２参照）などになったりする非矩形パネルが考えられた。
【特許文献１】特開２００７ー７２０８２号公報
【特許文献２】特開２００６ー２７６３６０号公報
【発明の開示】
【発明が解決しようとする課題】
【０００４】
しかしながら、画素の形状が矩形（特許文献２参照）であるために、斜線や曲線を有す
る非矩形の表示エリアの表示パネルでは、外周近傍で直角の階段状のガタツキが生じると
いう問題があった。
【０００５】
また、カラーのときには、混色制御のために表示領域に一部が掛かる画素はＲＧＢ表示
することができないので、無着色で駆動表示する方法（図７参照）を考えたとき、画素の
矩形の対角線が長いためにシールの密封領域が広くなって、表示パネルが大きくなるとい
う問題があった。
【課題を解決するための手段】
【０００６】
上記課題を解決するために、表示範囲が定められた表示エリアが非矩形であり、前記表
示エリア内に配設される画素を構成する単位となるサブ画素の形状を正六角形にする。
【０００７】
このように構成することにより、外周近傍で直角の階段状のガタツキをなくすことがで
きる。
【０００８】
また、前記正六角形のサブ画素が相互に辺で接し、１画素を３つのサブ画素で構成する
とともに３つのサブ画素の中心が正三角形となるように配置する。
【０００９】
このように構成することにより、フルカラーの１画素の対角線を短くすることができ、
表示エリア周縁の不使用領域を小さくすることができる。
【００１０】
また、対向して配置される一対の基板とシール材によって形成された密封エリアを有し
、前記表示エリアは前記密封エリア内に形成され、前記表示エリアの輪郭に一部が掛かる
画素を無着色駆動表示とする。
【００１１】
このように対角線が短い画素にすることにより、シール材による密封エリアを小さくす
ることができ、よって、表示パネルの小型化ができる。
【００１２】
また、対向して配置される一対の基板とシール材によって形成された密封エリアを有し
、前記表示エリアは前記密封エリア内に形成され、前記表示エリアの輪郭に一部が掛かる
サブ画素を無着色駆動表示とする。
【００１３】
このように対角線が短いサブ画素にすることにより、シール材による密封エリアを更に
小さくすることができ、よって、表示パネルの小型化ができる。
【００１４】
また、表示範囲が定められた表示エリアが非矩形であり、前記表示エリア内に配設され
る画素の形状を正六角形にする。
【００１５】
このように構成することにより、外周近傍で直角の階段状のガタツキをなくすことがで
きる。
【００１６】
また、画素の形状が正六角形であり、前記画素を３つのサブ画素で構成するとともに３
つのサブ画素の形状が正六角形を３等分する菱形である。
【００１７】
このように構成することにより、フルカラーの画素の対角線を短くすることができ、表
示エリア
周縁の不使用領域を小さくすることができる。
【発明を実施するための最良の形態】
【００１８】
以下、図面を参照して本発明の最良の実施形態を説明する。但し、以下に示す実施形態
は、本発明の技術思想を具体化するための表示パネルを例示するものであって、本発明を
これらに特定することを意図するものではなく、特許請求の範囲に含まれるその他の実施
形態のものにも等しく適応し得るものである。
【実施例１】
【００１９】
図１は本発明の実施例１の要部を示す平面図であり、図２は図１のＡーＡ断面図である
。実施例１の表示パネルは横電界方式のフルカラー表示パネルである。
【００２０】
図１、図２に示す如く、表示パネル１は液晶層２をＴＦＴアレイ基板３とカラーフィル
タ基板４で挟持する。ＴＦＴアレイ基板３の背面には第１偏光板５が形成され、カラーフ
ィルタ基板４の前面には第２偏光板６が形成される。また、ＴＦＴアレイ基板３の背面側
に光を照射するバックライト７が配設される。
【００２１】
まず、ＴＦＴアレイ基板３の各サブ画素の構成について説明する。ＴＦＴアレイ基板３
は、ガラスや石英、プラスチック等からなる基板本体８を基体としている。そして、ＴＦ
Ｔアレイ基板３の各サブ画素には、基板本体８の液晶層２側に、走査線９及び共通電極線
１０が形成されており、走査線９及び共通電極線１０を覆ってゲート絶縁膜１１が形成さ
れている。ゲート絶縁膜１１上に、アモルファスシリコンの半導体層１２ａが形成されて
おり、半導体層１２ａに一部乗り上げるようにしてソース電極１２ｂと、ドレイン電極１
２ｃとが形成される。これらの半導体層１２ａ、ソース電極１２ｂ、及びドレイン電極１
２ｃでＴＦＴ１２を構成する。半導体層１２ａは、ゲート絶縁膜１１を介して走査線９と
対向配置されており、当該対向領域で走査線９がＴＦＴ１２のゲート電極を構成するよう
になっている。ソース電極１２ｂはデータ線（図示せず。）から分岐しており、図示しな
いが、データ線は図１のＹ軸方向延び、走査線９はＸ軸方向に延びる。
【００２２】
半導体層１２ａ、ソース電極１２ｂ、ドレイン電極１２ｃを覆って、第１層間絶縁膜１
３が形成されている。第１層間絶縁膜１３とを覆って、ＩＴＯ等の透明導電材料からなる
共通電極１４が形成されている。共通電極１４は、第１層間絶縁膜１３及びゲート絶縁膜
１１を貫通する共通コンタクトホール１４ａによって共通電極線１０と電気的に接続され
る。
【００２３】
共通電極１４を覆ってシリコン酸化物等からなる第２層間絶縁膜１５が形成される。第
２層間絶縁膜１５の液晶層側の表面にＩＴＯ等の透明導電材料からなる画素電極１６が形
成される。また、画素電極１６、第２層間絶縁膜１５を覆ってポリイミドからなる第１配
向膜１７が形成されている。
【００２４】
第１層間絶縁膜１３及び第２層間絶縁膜１５を貫通してドレイン電極１２ｃに達する画
素コンタクトホール１６ａが形成されており、この画素コンタクトホール１６ａを介して
画素電極１６とドレイン電極１２ｃとが電気的に接続される。
【００２５】
画素電極１６は、図１で概略Ｘ軸方向に延びる複数本の空部（スリット）１６ｂによっ
て形成された帯状電極１６ｃを備えている。共通電極１４と画素電極１６を二つの電極と
し、この両電極で挟持される第２層間絶縁膜１５を誘電体膜として、蓄電容量が形成され
る。
【００２６】
次にカラーフィルタ基板４の各サブ画素について説明する。カラーフィルタ基板４は、
ガラスや石英、プラスチック等からなる基板本体１８を基体としており、基板本体１８に
は、サブ画素毎に異なる色光（Ｒ、Ｇ、Ｂあるいは無色）を透過するＣＦ（カラーフィル
タ）層１９か遮光材のＢＭ（ブラックマトリクス）２０が形成される。ＣＦ層１９とＢＭ
２０を覆うようにしてポリイミドからなる第２配向膜２１が形成されている。
【００２７】
ＴＦＴアレイ基板３側の偏光板５の透過軸と、カラーフィルタ基板４側の偏光板６の透
過軸とが互いに直交するように配置されており、前記偏光板６の透過軸が図１のＸ軸と平
行に配置されている。また、第１配向膜１７のラビング方向は偏光板６の透過軸と平行で
ある。第１配向膜１７のラビング方向は、画素電極１６と共通電極１４との間に生じる電
界の主方向と交差する方向とする。そして、初期状態ではラビング方向に沿って平行配向
している液晶が、画素電極１６と共通電極１４との間への電圧印加によって、上記電界の
主方向側へ回転して配向する。この初期配向状態と電圧印加時の配向状態との差異に基づ
いて明暗表示が成されるようになっている。
【００２８】
液晶層２はＴＦＴアレイ基板３とカラーフィルタ基板４の間に設けられたシール材２２
で形成される密封エリア内に封止される。尚、図示しないが、シール材２２は液晶を注入
する注入口と、注入口を封止する封止材を有する。
【００２９】
図１に示す如く、カラーフィルタ基板４の形状は円形になっている。そして、ＴＦＴア
レイ基板３の右側の延在部にはゲートドライバ３１が配設され、下側の延在部にはソース
ドライバ３２が配設される。ゲートドライバ３１の出力側はＸ軸方向に延びる走査線８に
接続されて垂直方向のサブ画素を駆動し、ソースドライバ３２の出力側はＹ軸方向延びる
データ線９に接続されて水平方向のサブ画素を駆動する。ゲートドライバ３１とソースド
ライバ３２はＴＦＴアレイ基板３の出力端子３３に接続される。円形の密封エリア２３（
図１の右上がり斜線部分）内に円形の表示エリア２４（図１の右下がり斜線部分）があり
、密封エリア２３中の表示エリア２４でない部分はＣＦでなくＢＭによって遮光されてい
る。このように、遮光材の開口が表示エリア２４となっている。
【００３０】
図３は実施例１のサブ画素と画素の形状を示す図である。ＲＧＢ夫々のサブ画素の形状
は正六角形になっている。そして、正六角形のサブ画素が相互に辺で接し、１画素を構成
する３つのサブ画素の中心が正三角形になっている。実施例１の画素の角は１２０度であ
るので、従来の矩形の９０度（図４参照。）と比較して階段状のがたつきが少なくなる。
【００３１】
ＲＧＢのサブ画素の輝度により１画素の色が設定されるために、表示エリア２４に３つ
のサブ画素が完全に含まれる画素がカラー表示の画素となる。そこで、もし、表示エリア
２４の輪郭に画素の一部が掛かっているものを非表示にすると、表示する画素との輝度の
差が大きくなるので、表示エリア２４の周縁のがたつきが目立つことになる。このために
、図３の如く、実施例１では表示エリア２４の輪郭に画素の一部が掛かっている画素のカ
ラーフィルタを無着色にして隣接サブ画素あるいは隣接画素と同一の輝度で駆動表示させ
る（図３のＷ。）。これにより、表示エリア２４の周縁は隣接画素の色度が低いカラー表
示に見えることになるが、無表示と比較してがたつきが目立ちにくくなる。尚、表示エリ
ア２４は使用者の可視範囲であり、ＲＧＢのサブ画素のみでなく、無着色のサブ画素の一
部も含む領域である。
【００３２】
表示エリア２４の輪郭に画素の一部が掛かっている画素を無着色駆動表示させるために
、シール材による密封エリア２３はその無着色画素を含まなければならない。これにより
、表示パネル１の寸法が大きくなる。図５に示す如く、実施例１のサブ画素の六角形の一
辺の寸法を１とすると、画素の最も長い対角線は約３．６０６（図５の（ａ）参照。）に
なる。これに対し、実施例１の画素と同一面積の従来の画素の対角線は３．９４８（図５
の（ｂ）参照。）になる。対角線が短い方が表示エリア２４とシール材２２との隙間を小
さくできる可能性が高いので、対角線が短い実施例１の方が従来の矩形の画素と比較して
密封エリア２３を小さくすることができる。
【実施例２】
【００３３】
実施例１では表示エリア２４の輪郭に画素の一部が掛かっている画素を無着色駆動表示
させたが、図６に示す如く、実施例２では表示エリア２４の輪郭に画素の一部が掛かって
いる画素のサブ画素のうち、表示エリア２４内に位置するサブ画素あるいは表示エリア２
４の輪郭に一部が掛かっているサブ画素を無着色駆動表示させる。これにより、無着色駆
動表示させる形状は１つの正六角形となるので、３つの六角形である実施例１と比較して
がたつきと密封エリア２３を小さくすることができる。また、これを従来の矩形画素に適
用させると、無着色駆動表示のサブ画素の形状は正方形を３つの分割した長方形であるの
で、図７に示す如く、実施例２よりもがたつきが大きい表示となる。
【００３４】
また、図８に示す如く、実施例２のサブ画素の六角形の一辺の寸法を１とすると、サブ
画素の最も長い対角線は２（図８の（ｃ）参照。）になる。これに対し、実施例２の画素
と同一面積の従来のサブ画素の対角線は２．９４２（図８の（ｄ）参照。）になる。した
がって、対角線が短い実施例２の方が従来の長方形のサブ画素と比較して密封エリア２３
を小さくすることができる。
【実施例３】
【００３５】
実施例１，２はサブ画素の形状が六角形であったが、実施例３では画素の形状が六角形
である。実施例３はモノクロやモノカラーの表示パネルに適用することができる。図９に
示す如く、画素は単色であるので、表示エリア２４に一部でも含まれる画素が表示される
。実施例３の画素の角は１２０度であるので、従来の矩形の９０度（図１０参照。）と比
較して階段状のがたつきが少なくなる。
【００３６】
また、図１１に示す如く、実施例３の画素の六角形の一辺の寸法を１とすると、画素の
最も長い対角線は約２（図１１の（ｅ）参照。）になる。これに対し、実施例３の画素と
同一面積の従来の画素の対角線は２．７９５（図１１の（ｆ）参照。）になる。したがっ
て、対角線が短い実施例３の方が従来の矩形のサブ画素と比較して密封エリア２３を小さ
くすることができる。
【００３７】
尚、図１２に示す如く、サブ画素の形状を正六角形の３等分となる菱形にすることによ
り、画素の形状を六角形にしても、実施例３と同様の効果を有する。
【００３８】
また、本願発明での正六角形は完全な正六角形に限定するものではなく、略正六角形と
みなされるものにも適用して同様の作用効果を供することができる。例えば、コーナーが
面取りされるものや、辺の長さや角度が僅か異なるものにも適用することができる。
【００３９】
また、上述の実施例の非矩形は円形であったが、本発明は円形に限定するものではなく
、楕円形、長方形の角がカットされた多角形、ハート形等にも適用することができる。
【００４０】
また、上述の実施例の表示エリアはBMで形成された可視領域であったが、仕様書上の表
示エリアであってもよい。例えば、表示パネルが電子機器に組み込まれた状態で、仕様書
上の表示エリアと同一の寸法の透明窓を有したカバーが表示パネルの前方に配設される。
【００４１】
また、上述の実施例は液晶表示パネルであったが、本発明は有機ＥＬディスプレイに適
用することができる。
【図面の簡単な説明】
【００４２】
【図１】本実施形態の実施例１の要部を示す平面図である。
【図２】実施例１の図１のＡーＡ断面図である。
【図３】実施例１の画素配置を示す図である。
【図４】実施例１に対応する従来の画素配置を示す図である。
【図５】実施例１の画素の対角線の寸法を示す図である。
【図６】実施例２のサブ画素配置を示す図である。
【図７】実施例２に対応する従来のサブ画素配置を示す図である。
【図８】実施例２のサブ画素の対角線の寸法を示す図である。
【図９】実施例３の画素配置を示す図である。
【図１０】実施例３に対応する従来の画素配置を示す図である。
【図１１】実施例３の画素の対角線の寸法を示す図である。
【図１２】実施例３の適用例を示す図である。
【符号の説明】
【００４３】
１      表示パネル
２      液晶層
３      ＴＦＴアレイ基板
４      カラーフィルタ基板
５      第１偏光板
６      第２偏光板
７      バックライト
９      走査線
１０    共通電極線
１２    ＴＦＴ
１２ａ    半導体層
１２ｂ    ソース電極
１２ｃ    ドレイン電極
１６    画素電極
１６ａ  画素コンタクトホール
１４    共通電極
１４ａ  共通コンタクトホール
８      ＴＦＴアレイ側基板本体（第２基板）
１１    ゲート絶縁膜
１３    第１層間絶縁膜
１５    第２層間絶縁膜
１７    第１配向膜
１８    ＣＦ側の基板本体（第１基板）
１９    ＣＦ層
２０    ＢＭ（ブラックマトリクス）
２１    第２配向膜
２２    シール材
２３    密封エリア
２４    表示エリア
【図１】
2009092981.tif 000003
【図２】
2009092981.tif 000004
【図３】
2009092981.tif 000005
【図４】
2009092981.tif 000006
【図５】
2009092981.tif 000007
【図６】
2009092981.tif 000008
【図７】
2009092981.tif 000009
【図８】
2009092981.tif 000010
【図９】
2009092981.tif 000011
【図１０】
2009092981.tif 000012
【図１１】
2009092981.tif 000013
【図１２】
2009092981.tif 000014